(57)【要約】【課題】  簡単な装置構成で試聴が実現できるカラオケ装置を提供する。【解決手段】  ホストサーバ１０はネットワーク２０を介して通信カラオケ本体３０へカラオケ楽曲データ１２ａ及び着信メロディ楽曲データ１３ａを配信する。ユーザがカラオケアシスト機器５０で楽曲を指定すると通信カラオケ本体３０から着信メロディ楽曲データ１３ｂが送信される。ユーザはカラオケアシスト機器５０で着信メロディ楽曲データ１３ｂを試聴し、希望する場合は、通信カラオケ本体３０でのカラオケ楽曲データ１２ａの再生やカラオケアシスト機器５０から携帯電話７０への着信メロディ楽曲データ１３ｃの引き渡しを行う。【選択図】  図１
2006113381.tif 000002
【特許請求の範囲】
【請求項１】
カラオケ演奏用の第１の楽曲データと、前記第１の楽曲データと同一の楽曲について作成され、前記第１の楽曲データよりデータ量が小さい第２の楽曲データとが記憶された記憶手段と、
第１の再生指示に基づいて前記第１の楽曲データを再生する第１の再生手段と、
第２の再生指示に基づいて前記第２の楽曲データを再生する第２の再生手段と、
を備えることを特徴とするカラオケ装置。
【請求項２】
カラオケ装置本体とカラオケアシスト機器とが通信路で接続されたカラオケ装置において、
前記カラオケ装置本体は、
第１の楽曲データが記憶された記憶手段と、
前記カラオケアシスト機器から指定された前記第１の楽曲データを再生する再生手段とを備え、
前記カラオケアシスト機器は、
前記第１の楽曲データと同一の楽曲について作成され、前記第１の楽曲データよりデータ量が小さい第２の楽曲データを記憶する記憶手段と、
前記記憶した第２の楽曲データを再生する再生手段と、
前記カラオケ装置本体に対して前記指定した楽曲に対応する第１の楽曲データの再生を指示する再生指示手段とを備えることを特徴とするカラオケ装置。
【請求項３】
前記カラオケ装置本体の記憶手段は、前記第２の楽曲データも記憶し、
前記カラオケ装置本体は、前記カラオケアシスト機器から指定された前記第２の楽曲データを前記通信路を介して前記カラオケアシスト機器へ送信する送信手段をさらに備え、
前記カラオケアシスト機器は、楽曲を指定して対応する前記第２の楽曲データを前記カラオケ装置本体から取得する取得手段をさらに備え、
前記カラオケアシスト機器の記憶手段が記憶する第２の楽曲データは前記取得手段により取得されたものであることを特徴とする請求項２に記載のカラオケ装置。
【請求項４】
前記第２の楽曲データは携帯端末で再生可能なファイル形式のデータであることを特徴とする請求項１から請求項３のいずれかの項に記載のカラオケ装置。
【請求項５】
前記第２の楽曲データは、携帯端末用の着信メロディ楽曲データとして作成されたものであることを特徴とする請求項４に記載のカラオケ装置。
【請求項６】
前記カラオケアシスト機器は、前記第２の楽曲データを携帯端末に受け渡す手段をさらに備えることを特徴とする請求項３から請求項５のいずれかの項に記載のカラオケ装置。
【請求項７】
前記第１の楽曲データ及び前記第２の楽曲データを外部のサーバから取得する取得手段を備えることを特徴とする請求項１から請求項６のいずれかの項に記載のカラオケ装置。
【発明の詳細な説明】
【技術分野】
【０００１】
この発明は、カラオケ演奏される楽曲データよりデータ量が小さい楽曲データを取得して試聴することができるカラオケ装置に関する。
【背景技術】
【０００２】
カラオケ装置を利用する場合には、目次本で楽曲を選択して操作端末に入力し、カラオケ装置本体で楽曲データを再生する。歌いはじめる前にメロディを確認するため、携帯電話の着信時に予め設定された音楽を演奏して知らせる着信メロディを、インターネットに接続されたサーバから携帯電話にダウンロードして試聴の目的で再生することが行われている。
しかし、携帯電話の着信メロディを利用して試聴を行うには、携帯電話を携帯していることが前提となる。また、着信メロディの入手はカラオケの楽曲選択とは別に操作が必要であり、携帯電話でインターネットに接続して行うため手間がかかる。
これに対し、特許文献１に記載されているように、試聴端末を用いて選択した楽曲の試聴ができるカラオケ装置が知られている。
【特許文献１】特開平10-319977号公報
【発明の開示】
【発明が解決しようとする課題】
【０００３】
しかし、試聴の際には完全な楽曲データは必要ないにもかかわらず、特許文献１に記載のカラオケ装置は、歌唱用にカラオケ装置で再生されるのと同じ楽曲データを試聴端末で再生するため、当該楽曲データのデータ量に応じた再生処理が必要となる。また、楽曲データをカラオケ装置から試聴端末へ送信する際に時間がかかり、試聴端末に当該楽曲データが記憶できる容量のメモリを備える必要がある。
この発明は、上記の事情に鑑みてなされたものであり、その目的は、簡単な装置構成で試聴が実現できるカラオケ装置を提供することである。
【課題を解決するための手段】
【０００４】
この発明は上記の課題を解決するためになされたもので、請求項１に記載の発明は、カラオケ演奏用の第１の楽曲データと、前記第１の楽曲データと同一の楽曲について作成され、前記第１の楽曲データよりデータ量が小さい第２の楽曲データとが記憶された記憶手段と、第１の再生指示に基づいて前記第１の楽曲データを再生する第１の再生手段と、第２の再生指示に基づいて前記第２の楽曲データを再生する第２の再生手段と、を備えることを特徴とするカラオケ装置である。
【０００５】
請求項２に記載の発明は、カラオケ装置本体とカラオケアシスト機器とが通信路で接続されたカラオケ装置において、前記カラオケ装置本体は、第１の楽曲データが記憶された記憶手段と、前記カラオケアシスト機器から指定された前記第１の楽曲データを再生する再生手段とを備え、前記カラオケアシスト機器は、前記第１の楽曲データと同一の楽曲について作成され、前記第１の楽曲データよりデータ量が小さい第２の楽曲データを記憶する記憶手段と、前記記憶した第２の楽曲データを再生する再生手段と、前記カラオケ装置本体に対して前記指定した楽曲に対応する第１の楽曲データの再生を指示する再生指示手段とを備えることを特徴とするカラオケ装置である。
【０００６】
請求項３に記載の発明は、請求項２に記載のカラオケ装置において、前記カラオケ装置本体の記憶手段は、前記第２の楽曲データも記憶し、前記カラオケ装置本体は、前記カラオケアシスト機器から指定された前記第２の楽曲データを前記通信路を介して前記カラオケアシスト機器へ送信する送信手段をさらに備え、前記カラオケアシスト機器は、楽曲を指定して対応する前記第２の楽曲データを前記カラオケ装置本体から取得する取得手段をさらに備え、前記カラオケアシスト機器の記憶手段が記憶する第２の楽曲データは前記取得手段により取得されたものであることを特徴とする。
【０００７】
請求項４に記載の発明は、請求項１から請求項３のいずれかの項に記載のカラオケ装置において、前記第２の楽曲データは携帯端末で再生可能なファイル形式のデータであることを特徴とする。
【０００８】
請求項５に記載の発明は、請求項４に記載のカラオケ装置において、前記第２の楽曲データは、携帯端末用の着信メロディ楽曲データとして作成されたものであることを特徴とする。
【０００９】
請求項６に記載の発明は、請求項３から請求項５のいずれかの項に記載のカラオケ装置において、前記カラオケアシスト機器は、前記第２の楽曲データを携帯端末に受け渡す手段をさらに備えることを特徴とする。
【００１０】
請求項７に記載の発明は、請求項１から請求項６のいずれかの項に記載のカラオケ装置において、前記第１の楽曲データ及び前記第２の楽曲データを外部のサーバから取得する取得手段を備えることを特徴とする。
【発明の効果】
【００１１】
この発明によれば、カラオケで演奏される楽曲データよりデータ量が小さい楽曲データを試聴用に用いるため、当該楽曲データの解釈、再生等の処理が容易となる。カラオケ装置本体と試聴端末を別筐体とする場合には、短時間で楽曲データが送信でき、当該楽曲データを試聴端末に記憶するためのメモリ容量が少なくて済む。また、カラオケで歌った楽曲の着信メロディを入手したい場合に、カラオケの楽曲選択の操作に続けて着信メロディを容易に携帯電話に取り込むことができ、従来は別途携帯電話でインターネットのサーバにアクセスして取得していた手間がなくなる。さらに、カラオケ用と試聴用の楽曲データを外部のサーバに保持し、カラオケ装置へ配信することで、それぞれのカラオケ装置において個別に試聴用の楽曲データを作成する必要がなくなる。
【発明を実施するための最良の形態】
【００１２】
以下、図面を参照し、この発明の実施の形態について説明する。図１はこの発明の一実施の形態によるカラオケ装置の構成を示す図である。
この実施形態において、通信カラオケ本体３０は、ネットワーク２０経由でホストサーバ１０からカラオケ楽曲データ１２ａ及び着信メロディ楽曲データ１３ａの配信を受けるカラオケ装置本体である。カラオケアシスト機器５０は、通信カラオケ本体３０に対してユーザが楽曲の選択、再生指示などを行うときに用いられる。携帯電話７０は、カラオケアシスト機器５０から着信メロディ楽曲データ１３ｃを取り込む。
【００１３】
ホストサーバ１０は記憶部１１にカラオケ楽曲データ１２及び着信メロディ楽曲データ１３を多数保持する。記憶部１１は例えばハードディスクを用いる。同一の楽曲について生成された、ファイル形式の異なるカラオケ楽曲データ１２と着信メロディ楽曲データ１３が、楽曲データコードを用いて関連付けて記憶部１１に格納される。カラオケ楽曲データ１２のファイル形式は、例えばＳＭＦ（スタンダードＭＩＤＩ（ミディ）ファイル、ＭＩＤＩ：Musical Instrument Digital Interface）であり、カラオケの伴奏として使用される。着信メロディ楽曲データ１３のファイル形式は、例えばＳＭＡＦ（Synthetic music Mobile Application Format）等のモバイル端末用コンテンツのフォーマットであり、小さなデータ量で効率良く楽曲を表現するものである。すなわち、携帯端末で聴く場合に問題とならないレベルで微妙な音程が省略されており、楽曲のサビ等の特徴的な部分だけであることもある。従って、データ転送が早く、データの解釈、再生等の処理が容易であるので、試聴用に適している。
【００１４】
ホストサーバ１０はネットワーク２０に接続され、通信制御部１４を介して、通信カラオケ本体３０と通信する。ホストサーバ１０は通信カラオケ本体３０へカラオケ楽曲データ１２ａ及び着信メロディ楽曲データ１３ａを配信する。配信は、例えば、新曲を通信カラオケ本体３０に追加するときに行われる。
ネットワーク２０は、例えば、インターネットであり、ホストサーバ１０及び通信カラオケ本体３０は、例えば、ＡＤＳＬや光ファイバー等でインターネットに接続することにより、楽曲データを高速に配信することができる。
【００１５】
通信カラオケ本体３０の記憶部３１は、ホストサーバ１０から配信を受けて、カラオケ楽曲データ１２ａ及び着信メロディ楽曲データ１３ａを保持する。記憶部３１は例えばハードディスクを用いる。カラオケ楽曲データ１２ａと着信メロディ楽曲データ１３ａは、ホストサーバ１０と同様に関連付けられ記憶部３１に記憶される。楽曲再生部３２は、カラオケ楽曲データ１２ａを忠実に再生するための音源装置が組み込まれている。通信カラオケ本体３０は通信制御部３３を介してネットワーク２０経由でホストサーバ１０と通信する。通信カラオケ本体３０とカラオケアシスト機器５０は基本的に同室で用いられ、通信カラオケ本体３０は通信制御部３３を介して無線ＬＡＮなどの通信路４０を経由してカラオケアシスト機器５０と通信する。
【００１６】
カラオケアシスト機器５０のユーザインタフェース部５１は、通信カラオケ本体３０において再生する楽曲を選択し指定するため、楽曲の検索、楽曲予約情報の入力などを行うときに用いられ、従来の目次本が電子化され操作端末に取り込まれたものである。カラオケアシスト機器５０は、通信制御部５４を介して、通信カラオケ本体３０と通信し、通信カラオケ本体３０から着信メロディ楽曲データ１３ｂを取得して記憶部５２に記憶する。楽曲再生部５３は着信メロディ楽曲データ１３ｂを忠実に再生するための音源装置であり、携帯電話に組み込まれている音源装置と同様である。
【００１７】
カラオケアシスト機器５０は、記憶部５２に記憶された着信メロディ楽曲データ１３ｂを携帯電話７０へ受け渡す。携帯電話７０の構成に応じて、受け渡し方が異なる。
携帯電話７０の記憶部７１が取り外し可能なメモリーカードを備える場合に、当該メモリーカードを介して着信メロディ楽曲データ１３ｃを受け渡すため、カラオケアシスト機器５０の楽曲データ受け渡し部５５はメモリーカードスロットを備える。また、携帯電話７０の通信制御部７３がケーブル６０で接続して通信可能な場合に、ケーブル６０を介して着信メロディ楽曲データ１３ｃを受け渡すため、カラオケアシスト機器５０の楽曲データ受け渡し部５５はケーブル６０を介して楽曲データを送信する機能を備える。さらに、携帯電話７０の通信制御部７３が電子メール送受信とＵＲＬアクセスの機能を備える場合に、携帯電話７０へ着信メロディ楽曲データ１３ｃの取得先のＵＲＬを通知するため、カラオケアシスト機器５０の楽曲データ受け渡し部５５は電子メールを送信する機能を備える。
【００１８】
図２は、カラオケアシスト機器５０を実際に構築する場合のハードウェア構成例を示す。図１の楽曲再生部５３の処理は、図２ではＣＰＵ（中央処理装置）５６、ＲＯＭ（リードオンリーメモリー）５７、ＲＡＭ（ランダムアクセスメモリー）５８、音源５９及びスピーカ５９１によって実行される。この場合、ＲＯＭ５７に記憶されたプログラムに基づきＣＰＵ５６が着信メロディ楽曲データ１３ｂのファイル形式を解釈し音源５９を制御して再生を行うが、これらの部分は専用ハードウェアで構築してもよい。音源５９は再生された楽曲をスピーカ５９１へ出力する。図１において着信メロディ楽曲データ１３ｂを記憶する記憶部５２は、図２のＲＡＭ５８に対応する。図１の楽曲データ受け渡し部５５の処理は、図２のＣＰＵ５６、ＲＯＭ５７及びＲＡＭ５８によって実行される。
【００１９】
図１に戻り、携帯電話７０の記憶部７１は着信メロディ楽曲データ１３ｃを記憶する。楽曲再生部７２は、記憶部７１に記憶された着信メロディ楽曲データ１３ｃを再生する。カラオケアシスト機器５０から携帯電話７０へ着信メロディ楽曲データ１３ｃを受け渡すため、携帯電話７０は、記憶部７１に取り外し可能なメモリーカードを備えるか、または、通信制御部７３にケーブル６０を介して通信する機能を備えるか、または、通信制御部７３に電子メール送受信とＵＲＬアクセスの機能を備える。
【００２０】
図３は、楽曲データとそれを再生する機器の対応を示す図である。通信カラオケ本体３０は、カラオケ楽曲データ１２ａ及び着信メロディ楽曲データ１３ａを保持し、カラオケアシスト機器５０からの指示により、楽曲再生部３２がカラオケ楽曲データ１２ａを再生する。また、カラオケアシスト機器５０からの指示により、カラオケアシスト機器５０へ着信メロディ楽曲データ１３ａのコピーである着信メロディ楽曲データ１３ｂを送信する。カラオケアシスト機器５０の楽曲再生部５３は、試聴用に着信メロディ楽曲データ１３ｂを再生する。携帯電話７０は、カラオケアシスト機器５０から着信メロディ楽曲データ１３ｃを取り込む。携帯電話７０の楽曲再生部６２は、着信メロディ楽曲データ１３ｃを再生する。
【００２１】
次に上述したシステムの動作について、図４及び図５を参照して説明する。図４はカラオケアシスト機器５０の動作を示すフローチャートであり、図５は通信カラオケ本体３０の動作を示すフローチャートである。
図４において、ユーザがカラオケアシスト機器５０のユーザインタフェース部５１において試聴曲をリクエストすると（ステップＳ１）、カラオケアシスト機器５０は、楽曲に対応する楽曲データコード及び着信メロディ楽曲データ取得指示を通信カラオケ本体３０へ送信する（ステップＳ１１）。
図５において、ユーザの操作に基づき、カラオケアシスト機器５０から楽曲データコード及び着信メロディ楽曲データ取得指示が送信されると（ステップＳ４）、通信カラオケ本体３０は、該当する着信メロディ楽曲データ１３ａを記憶部３１から取得して、そのコピーである着信メロディ楽曲データ１３ｂをカラオケアシスト機器５０へ送信する（ステップＳ３１）。
【００２２】
図４において、カラオケアシスト機器５０は、送信した楽曲データコードに該当する着信メロディ楽曲データ１３ｂを取得する（ステップＳ１２）。取得した着信メロディ楽曲データ１３ｂは記憶部５２に記憶される。カラオケアシスト機器５０は、楽曲再生部５３にて、取得した着信メロディ楽曲データ１３ｂを試聴用に再生する（ステップＳ１３）。
【００２３】
次に、試聴用に再生した楽曲を通信カラオケ本体３０で再生するか否か判定が行われる（ステップＳ１４）。ここで、ユーザが、試聴した着信メロディ楽曲データ１３ｂに対応するカラオケ楽曲データ１２ａを通信カラオケ本体３０で再生して歌いたい場合には、ユーザはカラオケアシスト機器５０のユーザインタフェース部５１において通信カラオケ本体３０での再生指示を行う（ステップＳ２）。すると、ステップＳ１４の判定結果が「Ｙｅｓ」となり、カラオケアシスト機器５０は、楽曲データコード及びカラオケ楽曲再生指示を通信カラオケ本体３０へ送信する（ステップＳ１５）。ステップＳ１４の判定結果が「Ｎｏ」の場合はステップＳ１６へ進む。
図５において、ユーザの操作に基づき、カラオケアシスト機器５０から楽曲データコード及びカラオケ楽曲再生指示が送信されたときは（ステップＳ５）、通信カラオケ本体３０は、楽曲データコードに該当するカラオケ楽曲データ１３ａの再生準備を行い（ステップＳ３２）、楽曲再生部３２において、当該カラオケ楽曲データ１３ａを再生する（ステップＳ３３）。
【００２４】
次に、図４において、着信メロディ楽曲データ１３ｂを携帯電話７０にダウンロードするか否か判定が行われる（ステップＳ１６）。ここで、ユーザが試聴し、ユーザの指示により通信カラオケ本体３０において再生したカラオケ楽曲データ１２ａに対応する着信メロディ楽曲データ１３ｂを携帯電話７０にダウンロードしたい場合は、ユーザはカラオケアシスト機器５０のユーザインタフェース部５１において、携帯電話７０に保存または送信する指示を行う（ステップＳ３）。すると、ステップＳ１６の判定が「Ｙｅｓ」となり、カラオケアシスト機器５０は、着信メロディ楽曲データ１３ｂを携帯電話７０に保存または送信する（ステップＳ１７）。ステップＳ１６の判定結果が「Ｎｏ」の場合は記憶部５２に記憶された着信メロディ楽曲データ１３ｂは破棄される（ステップＳ１８）。
【００２５】
携帯電話７０への保存または送信は、携帯電話７０の構成に応じて次のように行われる。
携帯電話７０の記憶部７１が取り外し可能なメモリーカードを備える場合は、記憶部７１のメモリーカードを取り外し、カラオケアシスト機器５０の楽曲データ受け渡し部５５が備えるメモリーカードスロットへ取り付け、カラオケアシスト機器５０の記憶部５２に記憶された着信メロディ楽曲データ１３ｂのコピーである着信メロディ楽曲データ１３ｃをメモリーカードに保存する。そして、当該メモリーカードをカラオケアシスト機器５０の楽曲データ受け渡し部５５が備えるメモリーカードスロットから取り外し、携帯電話７０の記憶部７１へ取り付ける。
また、携帯電話７０の通信制御部７３がケーブル６０でカラオケアシスト機器５０と通信する機能を備える場合は、ケーブル６０でカラオケアシスト機器５０と携帯電話７０を接続する。楽曲データ受け渡し部５５はカラオケアシスト機器５０の記憶部５２に記憶された着信メロディ楽曲データ１３ｂのコピーである着信メロディ楽曲データ１３ｃを携帯電話７０へ送信する。送信された着信メロディ楽曲データ１３ｃは携帯電話７０の記憶部７１に記憶される。
また、携帯電話７０が電子メールの送受信及びＵＲＬアクセスの機能を備える場合は、カラオケアシスト機器５０の楽曲データ受け渡し部５５は、ホストサーバ１０において着信メロディ楽曲データ１３ｃを保持するＵＲＬを記載した電子メールを携帯電話７０へ送信する。携帯電話７０の通信制御部７３は、当該電子メールに記載されたＵＲＬにより、ネットワーク２０経由でホストサーバ１０にアクセスして着信メロディ楽曲データ１３ｃをダウンロードする。
以上により、着信メロディ楽曲データ１３ｃが携帯電話７０へ受け渡される。
【００２６】
なお、ホストサーバ１０以外に着信メロディ楽曲データ１３を保持するサーバを設け、当該サーバにおいて着信メロディ楽曲データ１３ｃを保持するＵＲＬからダウンロードするように電子メールでＵＲＬを通知してもよい。
なお、カラオケアシスト機器５０の楽曲データ受け渡し部５５から携帯電話７０へ着信メロディ楽曲データ１３ｃを保存または送信する場合には、既存の課金手段により課金を行ってもよい。
【００２７】
なお、上記の実施形態においては、通信カラオケ本体３０はホストサーバ１０からカラオケ楽曲データ１２ａと着信メロディ楽曲データ１３ａの両方を取得したが、図６に示すように、カラオケ楽曲データ１２ａのみ取得し、取得後に通信カラオケ本体３０においてコンバータ３４を用いてカラオケ楽曲データ１２ａから着信メロディ楽曲データ１３ａを生成してもよい。例えば、カラオケ楽曲データ１２ａのファイル形式がＳＭＦで、着信メロディ楽曲データ１３ａのファイル形式がＳＭＡＦであるとき、ＳＭＦの楽曲データをＳＭＡＦの楽曲データに変換するコンバータ３４は広く普及している。
また、図５のステップＳ３１において、通信カラオケ本体３０がカラオケアシスト機器５０から受信した楽曲データコードを予約コードとして保持することにより、ステップＳ５において、ユーザがカラオケアシスト機器５０からカラオケ楽曲再生指示を行う際に楽曲データコードを送信しなくても、通信カラオケ本体３０において前記の予約コードにより再生すべきカラオケ楽曲データ１２ａを特定し楽曲再生部３２において再生することができる。
【産業上の利用可能性】
【００２８】
この発明は、カラオケ装置に用いられる。
【図面の簡単な説明】
【００２９】
【図１】この発明の実施形態によるカラオケ装置の構成を示す図である。
【図２】図１に示すカラオケアシスト機器５０を実際に構築する場合のハードウェア構成例を示すブロック図である。
【図３】楽曲データとそれを再生する機器の対応を示す図である。
【図４】この発明の実施形態によるカラオケアシスト機器５０の動作を示すフローチャートである。
【図５】この発明の実施形態による通信カラオケ本体３０の動作を示すフローチャートである。
【図６】図１における通信カラオケ本体３０の別の構成を示す図である。
【符号の説明】
【００３０】
１０…ホストサーバ、１１…記憶部、１２、１２ａ…カラオケ楽曲データ、１３、１３ａ、１３ｂ、１３ｃ…着信メロディ楽曲データ、１４…通信制御部、２０…ネットワーク、３０…通信カラオケ本体、３１…記憶部、３２…楽曲再生部、３３…通信制御部、３４…コンバータ、３５…スピーカ、４０…通信路、５０…カラオケアシスト機器、５１…ユーザインタフェース部、５２…記憶部、５３…楽曲再生部、５４…通信制御部、５５…楽曲データ受け渡し部、５６…ＣＰＵ、５７…ＲＯＭ、５８…ＲＡＭ、５９…音源、５９１…スピーカ、６０…ケーブル、７０…携帯電話、７１…記憶部、７２…楽曲再生部、７３…通信制御部
【図１】
2006113381.tif 000003
【図２】
2006113381.tif 000004
【図３】
2006113381.tif 000005
【図４】
2006113381.tif 000006
【図５】
2006113381.tif 000007
【図６】
2006113381.tif 000008